(57)【要約】【課題】  スキャンセンド時に、原稿の情報を収集し電子透かしデータとしてスキャンデータに付加して、センドを行う。センド先で該データをプリントする際に付加された電子透かしデータをもとにプリント条件を決定し、原稿と同じ状態のドキュメントを得ること。【解決手段】  原稿を読み取り、読み取った原稿が両面原稿等の特徴を検知する手段と、前記検知した情報をデータ化し、電子透かしの情報にする手段と、前記電子透かしを前記読み取りデータに付加する手段と、付加したデータをファイル形式へと変換する手段と、変換されたファイルを電子メールの添付ファイルやファイル転送してネットワークを介して送信可能な手段を有する。【選択図】  図９
2006148306.tif 000002
【特許請求の範囲】
【請求項１】
原稿を読み取りファイルデータとして送信する場合において、読み込み時にその原稿情報を同時に収集し、前述の情報を電子透かし情報としてデータへと変換し、前述の読み取りデータをファイルへと変換し送信する際、該電子透かし情報を付加して、送信することを特徴とする画像処理装置。
【請求項２】
前記電子透かし情報の１つとして、読み取った原稿が両面印刷された原稿であるか否かという情報を付加することを特徴とする請求項１に記載された画像処理装置。
【請求項３】
また、前記電子透かし情報の１つとして、読み取った原稿が１ページ内に複数ページが印刷され、読み取り時に１ページ毎に分割してファイルとしてデータを送信する場合、１ページ内に複数ページ印刷された原稿であるか否かという情報を付加することを特徴とする請求項１に記載された画像処理装置。
【請求項４】
送信されたデータを印刷する場合において、画像情報と前述の付加された電子透かし情報をもとに送信された原稿と同様の状態で印刷することが可能であることを特徴とする請求項１に記載された画像処理装置。
【請求項５】
原稿を読み取りファイルデータとして送信する場合において、読み込んだ際にその読み取り情報を同時に収集し、前述の情報を電子透かし情報としてデータへと変換し、前述の読み取りデータをファイルへと変換し送信する際、該電子透かし情報を付加して、送信することを特徴とする画像処理方法。
【請求項６】
前記読み取り画像データを、ファイル形式へと変換し、ネットワーク等を経由して電子メールで添付ファイルとして、またはＦＴＰ（Ｆｉｌｅ  Ｔｒａｎｓｆｅｒ  Ｐｒｏｔｏｃｏｌ）等で転送する手段を有することを特徴とする請求項４に記載された画像処理方法。
【請求項７】
前記電子透かし情報の１つとして、読み取った原稿が両面印刷された原稿であるか否かという情報を付加することを特徴とする請求項４に記載された画像処理方法。
【請求項８】
また、前記電子透かし情報の１つとして、読み取った原稿が１ページ内に複数ページが印刷され、読み取り時に１ページ毎に分割してファイルとしてデータを送信する場合、１ページ内に複数ページ印刷された原稿であるか否かという情報を付加することを特徴とする請求項４に記載された画像処理方法。
【請求項９】
送信されたデータを印刷する場合において、画像情報と前述の付加された電子透かし情報をもとに送信された原稿と同様の状態で印刷することが可能であることを特徴とする請求項４に記載された画像処理方法。
【発明の詳細な説明】
【技術分野】
【０００１】
本発明は、画像読み取り装置を備えた画像処理装置、情報処理装置、及び画像処理方法に関し、特にネットワークに接続され、画像読み取り装置から読み込んだ画像データをファイルの形式へと変換し、電子メール等で添付ファイルとして送信を行う場合に好適な画像処理装置及び画像処理方法に関する。
【背景技術】
【０００２】
従来、両面印刷された原稿や、１ページ内に複数ページがレイアウトされた原稿や、書籍などのような印刷媒体等を読み込む際には、自動読み取り可能や、ブック読み取りが可能な画像読み取り装置（イメージスキャナ）が使用されている。
【０００３】
読み取った原稿を、電子メールで添付ファイルとして、またファイル転送等で送信可能とする画像処理装置もあり、宛先を指定して送信及び転送動作を開始させる指令を入力することで原稿の読み取りが開始され、読み取りデータがファイルに変換され、ファイルとして送信が行われている（特許文献１参照）。
【特許文献１】特開２００４−１０４２２１号公報
【発明の開示】
【発明が解決しようとする課題】
【０００４】
しかしながら、上記のような従来の画像読み取り装置では、両面印刷された原稿は１ページ毎読み込まれ、また、１ページ内に複数ページがレイアウトされた原稿や複数の用紙が綴じられた印刷媒体等を読み取ってページ毎分割させてファイルへと変換され送信するときに、読み取られた画像がいずれから構成されていても、それらを何ら考慮することなく、送信や転送が行われていた。
【０００５】
すなわち例えば、両面印刷の原稿を読み取る場合に、表面、裏面と１ページ毎に読み取られ分割された情報のファイルとして送信され、受信側で印刷時ユーザが任意にモードを設定することになり、元の読み取られた原稿と全く同じものが得られないことやオリジナルの原稿の情報が全く不明であるといった問題もあった。
【課題を解決するための手段】
【０００６】
本発明は、上記目的を達成するために以下に示す構成を備える。請求項１の発明によれば、原稿を読み取り、読み取った原稿が両面原稿等の特徴を検知する手段と、前記検知した情報をデータ化し、電子透かしの情報にする手段と、前記電子透かしを前記読み取りデータに付加する手段と、付加したデータをファイル形式へと変換する手段と、変換されたファイルを電子メールの添付ファイルやファイル転送してネットワークを介して送信可能な手段を有することを特徴とする画像処理装置。
【０００７】
請求項４において、前述の送信されたデータを印刷する場合において、画像データに付加された電子透かし情報を解析する手段と、前記解析結果を受信した画像データをもとの原稿と同じ状態のものを出力可能とする手段を有することを特徴とする画像処理装置が提供される。
【発明の効果】
【０００８】
本発明によって、原稿を読み込む際に、該原稿の情報を同時に解析しその解析情報を電子透かしとしてデータ化し、前記読み取り画像データと前記の電子透かしデータを付加したファイルへと変換し、ネットワークを介して送信し、受信先において前述の画像データを印刷する場合において、前述の電子透かしの情報を元に原稿と同じ状態の出力結果を得ることを実現することが可能となる。
【発明を実施するための最良の形態】
【０００９】
（実施例１）
以下、本発明の実施の形態を、図面を参照して説明する。
【００１０】
本発明について説明する前に、本実施例を適用する可能な、スキャナ機能及びプリンタ機能を備えたネットワークプリンタ（マルチファンクション複合機）について説明する。
【００１１】
また、本発明はスキャナ機能のみを有し、画像を読み取りネットワークを介してデータ通信を行える装置であれば、特にプリンタ機能を有していなくでも問題ないことはいうまでもない。
【００１２】
図１は、マルチファンクション複合機の全体構成図である。
【００１３】
コントローラユニット２０００は、画像入力デバイスであるスキャナ部２０７０や画像出力デバイスであるプリンタ部２０９５と接続し、一方ではＬＡＮ２０１１や公衆回線（ＷＡＮ）２０５１と接続することで、画像情報やデバイス情報の入出力を行うためのコントローラである。ＣＰＵ２００１は、システム（複合機）全体を制御するコントローラである。ＲＡＭ２００２は、ＣＰＵ２００１が動作するためのシステムワークメモリであり、画像データを一次記憶するための画像メモリでもある。ＲＯＭ２００３は、ブートＲＯＭとして構成せれており、システムのブートプログラムを格納している。ＨＤＤ（ハードディスクドライブ）２００４は、システムソフトウェア、画像データを格納する。
【００１４】
操作部インターフェース２００６は、操作部（ＵＩ）２０１２に表示する画像データを操作部２０１２に対して出力する。また操作部インターフェース２００６は、操作部２０１２からユーザが入力した情報を、ＣＰＵ２００１に伝える役割をする。ネットワーク接続部２０１０は、ＬＡＮ２０１１に接続し、情報の入出力を行う。モデム２０５０は、公衆回線２０５１に接続し、情報の入出力を行う。
【００１５】
以上のデバイスがシステムバス２００７上に配置される。イメージバスＩ／Ｆ２００５は、前記システムバス２００７と画像データを高速で転送する画像バス２００８とを接続し、データ構造を変換するバスブリッジである。画像バス２００８は、ＰＣＩ（Ｐｅｒｉｐｈｅｒａｌ  Ｃｏｍｐｏｒｎｅｎｔ  Ｉｎｔｅｒｃｏｎｎｅｃｔ）バスまたはＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４等の汎用的なバスで構成される。画像バス２００８上には以下のデバイスが配置される。
【００１６】
ラスタイメージプロセッサ（ＲＩＰ）２０６０は、ＰＤＬ（Ｐａｇｅ  Ｄｉｓｃｒｉｐｔｉｏｎ  Ｌａｎｇｕａｇｅ）コードをビットマップイメージに展開する。デバイスＩ／Ｆ部２０２０は、画像入出力デバイスであるスキャナ部２０７０やプリンタ部２０９５とコントローラユニット２０００とを接続し、画像データの同期系／非同期系の変換を行う。スキャナ画像処理部２０８０は、入力画像データに対し補正、加工、編集を行う。プリンタ画像処理部２０９０は、プリント出力画像データに対し補正、解像度変換等を行う。画像回転部２０３０は、画像データの回転を行う。画像回転部２０３０は、画像データの回転を行う。画像圧縮処理部２０４０は、多値画像データはＪＰＥＧ（Ｊｏｉｎｔ  Ｐｈｏｔｏｇｒａｐｈｉｃ  Ｅｘｐｒｅｓｓ  Ｇｒｏｕｐ）、２値画像データはＪＢＩＧ（Ｊｏｉｎｔ  Ｂｉ―ｌｅｖｅｌ  Ｉｍａｇｅ  Ｅｘｐｅｒｔｓ  Ｇｒｏｕｐ）、ＭＭＲ（Ｍｏｄｉｆｉｅｄ  Ｍｏｄｉｆｉｅｄ  Ｒｅａｄ）、ＭＨ（Ｍｏｄｉｆｉｅｄ  Ｈｕｆｆｍａｎ）の圧縮伸張処理を行う。
【００１７】
マルチファンクション複合機における画像入出力デバイスの外観を図２に示す。画像入力デバイスであるスキャナ部２０７０は、原稿となる紙上の画像を照明し、ＣＣＤラインセンサ（図示省略）を走査することで、ラスタイメージデータ２０７１（図１）として電気信号に変換する。ユーザが原稿用紙を原稿フィーダ２０７２のトレイ２０７３にセットし、操作部２０１２から読み取り起動指示を行うことにより、コントローラユニット２０００のＣＰＵ２００１がスキャナ部２０７０に指示を与え（図１の２０７１）、原稿フィーダ２０７２により原稿画像の読み取り動作を行う。
【００１８】
画像出力デバイスであるプリンタ部２０９５は、ラスタイメージデータ２０９６（図１）を用紙上の画像に変換する部分であり、その方式は感光体ドラムや感光体ベルトを用いた電子写真方式、微小ノズルアレイからインクを吐出して用紙上に直接画像を印字するインクジェット方式等があるが、どの方式でも構わない。プリント動作の起動は、コントローラユニット２０００のＣＰＵ２００１からの指示２０９６（図１）によって開始する。プリンタ部２０９５は、異なる用紙サイズまたは異なる用紙向きを選択できるように複数の給紙段を装備し、それに対応した用紙カセット２１０１，２１０２を装備している。また、プリンタ部２０９５は、排紙トレイ２１１１を装備している。排紙トレイ２１１１は印字し終わった用紙を受けるものである。
【００１９】
マルチファンクション複合機の操作部２０１２の構成を図３に示す。ＬＣＤ表示部２０１３は、ＬＣＤ上にタッチパネルシートが張られており、システムの操作画面を表示すると共に、表示してあるキーが押されるとその位置情報をコントローラユニット２０００のＣＰＵ２００１に伝える。スタートキー２０１４は、原稿画像読み取り動作を開始する時などに用いる。スタートキー２０１４の中央部には、緑と赤の２色ＬＥＤ２０１８が配設されており、その色によってスタートキー２０１４が使える状態にあるかどうかを示す。ストップキー２０１５は、稼動中の動作を止める働きをする。ＩＤキー２０１６は、使用者のユーザＩＤを入力する時に用いる。リセットーキー２０１７は、操作部２０１２からの設定を初期化するときに用いる。操作部２０１２には、数字キー２０１９も配列されており、この数字キー２０１９を用いて数値入力が可能となる。
【００２０】
スキャナ画像処理装置部２０８０の構成を図４に示す。画像バスＩ／Ｆコントローラ２０１８は、画像バス２００８と接続し、そのバスアクセスシーケンスを制御する働きと、スキャナ画像処理部２０８０内の各デバイスの制御及びタイミング信号を発生させる。フィルタ処理部２０８２は、空間フィルタでコンボリューション演算を行う。編集部２０８３は、例えば入力画像データからマーカーペンで囲まれた閉領域を認識して、その閉領域内の画像データに対して、影つけ、網掛け、ネガポジ反転等の画像加工処理を行う。変倍処理部２０８４は、読み取り画像の解像度を変える場合にラスタイメージの主走査方向について補間演算を行い、拡大、縮小、を行う。副走査方向の変倍については、画像読み取りラインセンサ（図示省略）を走査する速度を変えることで行う。テーブル変換部２０８５は、読み取った輝度データである画像データを濃度データに変換するためにテーブル変換を行う。２値化部２０８６は、多値のグレースケール画像データを、誤差拡散処理やスクリーン処理によって２値化する。処理が終了した画像データは、再び画像バスコントローラ２０８１を介して、画像バス２００８に転送される。
【００２１】
プリンタ画像処理部２０９０の構成を図５に示す。画像バスＩ／Ｆコントローラ２０９１は、画像バス２００８と接続し、そのバスアクセスシーケンスを制御する働きと、スキャナ画像処理部２０９０内の各デバイスの制御及びタイミング信号を発生させる。解像度変換部２０９２は、ＬＡＮ２０１１或いは公衆回線２０５１から来た画像データを、プリンタ部２０９５の解像度に変換するための解像度変換を行う。スムージング処理部２０９３は、解像度変換後の画像データのジャギー（斜め線等の白黒境界部に現われる画像のがさつき）を滑らかにする処理を行う。
【００２２】
画像圧縮処理部２０４０の構成を図６に示す。画像バスＩ／Ｆコントローラ２０４１は、画像バス２００８と接続し、そのバスアクセスシーケンスを制御する働き、入力バッファ２０４２／出力バッファ２０４５とのデータのやり取りを行うためのタイミング制御、及び画像圧縮部２０４３に対するモード設定などの制御を行う。画荘圧縮処理部２０４０の処理手順をいかに示す。画像バス２００８を介して、コントローラユニット２０００のＣＰＵ２００１から画像Ｉ／Ｆコントローラ２０４１に画像圧縮制御に必要な設定を行う。この設定により、画像バスＩ／Ｆコントローラ２０４１は、画像圧縮部２０４３に対して画像圧縮に必要な設定（例えばＭＭＲ圧縮／ＪＢＩＧ伸張など）を行う。必要な設定を行った後に、再度、ＣＰＵ２００１から画像バスＩ／Ｆコントローラ２０４１に対して画像データ転送の許可を行う。この許可に従い、画像バスＩ／Ｆコントローラ２０４１は、ＲＡＭ２００２もしくは画像バス２００８もしくは画像バス２００８上の各デバイスから画像データの転送を開始する。受け取った画像データは入力バッファ２０４２に一時格納され、画像圧縮部２０４３の画像データ要求に応じて一定のスピードで画像が転送される。この際、入力バッファ２０４２は、画像バスＩ／Ｆコントローラ２０４１と画像圧縮部２０４３の両者の間で、画像データを転送できるかを判断し、画像バス２００８からの画像データの読込み及び画像圧縮２０４３への画像書き込みが不可能である場合は、データ転送を行わないような制御を行う。（以後このような制御をハンドシェークと呼称する）画像圧縮部２０４３は、受け取った画像データを一旦ＲＡＭ２０４４に格納する。これは、画像圧縮を行う際には、行う画像圧縮処理の種類によって数ライン分の圧縮を行うためであり、最初の１ライン分の圧縮を行うためには、数ライン分の画像データを用意してからでないと画像圧縮が行えないためである。画像圧縮を施された画像データは直に出力バッファ２０４５に送られる。出力バッファ２０４０５では、画像バスＩ／Ｆコントローラ２０４１及び画像圧縮部２０４３とのハンドシェークを行い、画像データを画像バスＩ／Ｆコントローラ２０４１に転送する。画像バスＩ／Ｆコントローラ２０４１では転送された圧縮（もしくは伸張）された画像データをＲＡＭ２００２もしくは画像バス２００８上の各デバイスにデータを転送する。こうした一連の処理は、コントローラユニット２０００のＣＰＵ２００１からの処理要求がなくなるまで（必要なページ数の処理が終わったとき）、もしくはこの画像圧縮部２０４３から停止要求が出るまで（圧縮及び伸張のエラー発生時など）繰り返される。
【００２３】
画像回転部２０３０の構成を図７に示す。画像バスＩ／Ｆコントローラ２０３１は、画像バス２００８と接続し、そのバスシーケンスを制御する働き、画像回転部２０３２にモードなどを設定する制御、および画像回転部２０３２に画像データを転送するためのタイミング制御を行う。画像回転部２０３０の処理手順を以下に示す。画像バス２００９を介して、コントローラユニット２０００のＣＰＵ２００１から画像バスＩ／Ｆコントローラ２０３１に画像回転制御のための設定を行う。この設定により、画像バスＩ／Ｆコントローラ２０３１は、画像回転部２０３２に対して画像回転に必要な設定（たとえば画像サイズや回転方向・角度など）を行う。必要な設定を行った後に、再度、ＣＰＵ２００１から画像バスＩ／Ｆコントローラ２０３１に対して画像データ転送の許可を行う。この許可に従い、画像バスＩ／Ｆコントローラ２０３１は、ＲＡＭ２００２もしくは画像バス２００８上の各デバイスから画像データの転送を開始する。
【００２４】
デバイスＩ／Ｆ部２０２０の構成を図８に示す。画像バスＩ／Ｆコントローラ２０２１は、画像バス２００８と接続し、そのバスアクセスシーケンスを制御する働きと、デバイスＩ／Ｆ部２０２０内の各デバイスの制御およびタイミング信号を発生させる。また、画像バスＩ／Ｆコントローラ２０２１は、外部のスキャナ部２０７０およびプリンタ部２０９５への制御信号を発生させる。スキャンバッファ２０２２は、スキャナ部２０７０から送られてくる画像データを一時保存し、画像バス２００８に同期させて画像データを出力する。シリアルパラレル・パラレルシリアル変換部２０２３は、スキャンバッファ２０２２に保存された画像データを順番に並べて、あるいは分解して、画像バス２００８に転送できる画像データのデータ幅に変換する。パラレルシリアル・シリアルパラレル変換部２０２４は、画像バス２００８から転送された画像データを分解して、あるいは順番に並べ替えて、プリントバッファ２０２５に保存できる画像データのデータ幅に変換する。プリントバッファ２０２５は、画像バス２００８から送られてくる画像データを一時保存し、プリンタ部２０９５に同期させて画像データを出力する。画像スキャン時の処理手順を以下に示す。スキャナ部２０７０から送られてくる画像データをスキャナ部２０７０から送られてくるタイミング信号に同期させて、スキャンバッファ２０２２に保存する。そして、画像バス２００８がＰＣＩバスの場合には、スキャンバッファ２０２２内に画像データが３２ビット以上は行ったときに、画像データを先入れ先出しで３２ビット分、スキャンバッファ２０２２からシリアルパラレル・パラレルシリアル変換部２０２３に送り、３２ビットの画像データに変換し、画像バスＩ／Ｆコントローラ部２０２１を通して画像バス２００８に転送する。また画像バス２００８がＩＥＥＥ１３９４の場合には、画像バス２００８から送られてくるシリアル画像データを画像バスＩ／Ｆコントローラ２０２１で受け取り、パラレルシリアル・シリアルパラレル変換部２０２４の送り、プリンタ部２０９５の入力データビット数の画像データに変換し、プリントバッファ２０２５内に保存する。そして、プリンタ部２０９５から送られてくるタイミング信号に同期させて、プリントバッファ２０２５内の画像データを先入れ先出しで、プリント部２０９５に送る。
【００２５】
前述したような、マルチファンクション複合機の構成を背景として、本発明の実施例の動作に関する説明を行う。
【００２６】
図９は本発明の第１実施例を示すフローチャートである。まず、スキャナ部２０７０で読み取った原稿を電子メールの添付ファイルとして送信やＦＴＰでファイル転送する設定を操作部２０２１で設定されているものとする。送信の操作が行われたら、スキャナ部２０７０で原稿の読み込みを開始する（Ｓ９００）、次に読み込み原稿の特徴等の情報を原稿画像の読込みと同時に収集する（Ｓ９０１）、Ｓ９０１で収集した原稿情報を電子透かしのデータへと変換する（Ｓ９０２）、なお、前述の電子透かしとしてデータへと変換する原稿情報としては、例えば原稿が両面印刷されたものであるという情報や、原稿が１ページ内に複数ページが印刷された原稿を１ページ単位に分割して送る場合にその情報を電子透かしデータへと変換する。次に、操作部２０１２等より読み取った原稿画像の画像データに、前記の電子透かしデータを付加するか否かを決定し（Ｓ９０３）、Ｓ９０３において電子透かし情報を付加する場合、同様に操作部２０１２より付加する情報を任意に選択することが可能な構成であり（Ｓ９０４）。Ｓ９０４で付加する情報を選択する場合、ユーザが任意に設定する（Ｓ９０５）。設定により、コントローラユニット２０００内において、スキャナ部２０７０から読み取られた画像データと、画像データと同時に原稿から収集し、電子透かし情報としてデータ化したものを合成し（Ｓ９０６）、１つのファイルとして一度ＨＤＤ２００４の記憶媒体に格納される。ネットワーク２０１０からＬＡＮ２０１１を経由して、電子メールなりＦＴＰ等で送信される（Ｓ９０７）。また、Ｓ９０３においてスキャナ部２０７０で読み取った原稿に、同時に収集された原稿情報を付加しない場合は、読み取られた状態がファイルとしてデータ化し、一度ＨＤＤ２００４に格納された後に、ネットワーク２０１０からＬＡＮ２０１１を経由して、電子メールなりＦＴＰ等で送信される（Ｓ９０７）。また、Ｓ９０４において、スキャナ部２０７０より読み込まれ画像データ化されたものに、同時に得られた電子透かし化された原稿特性を選択することなく全て付加する場合は、画像データと電子透かしデータとをそのまま付加。データ化し、一度ＨＤＤ２００４に格納された後に、ネットワーク２０１０からＬＡＮ２０１１を経由して、電子メールなりＦＴＰ等で送信される（Ｓ９０７）。
【００２７】
（実施例２）
次に、図１０のフローチャートを用いて、前述の電子透かしデータが付加された画像データを受信した先で、該画像データを印刷する際の実施例を示している。受信データを図１のマルチファンクション複合機で印刷出力を行う（Ｓ１０００）、例えばＬＡＮ２０１１を介して印刷データとして印刷ジョブを送ることとなる。印刷ジョブを受信した図１のマルチファンクション複合機のコントローラユニット２０００内において、付加された電子透かし情報の解析を行う（Ｓ１００１）、解析後、原稿と同じ条件で印刷するか否かを操作部２０１２等で設定する（Ｓ１００２）、Ｓ１００２において、原稿と同じ状態で出力させたい場合は、同様に操作部２０１２等で反映させたい情報をユーザが任意に選択することが可能な構成とし（Ｓ１００３）、その設定条件にしたがって印刷を開始する（Ｓ１００４）、Ｓ１００２で特に原稿と同じ条件で出力する必要が無い場合、そのまま印刷データの出力を開始する（Ｓ１００４）。
【図面の簡単な説明】
【００２８】
【図１】複合機のハードウェアの全体構成を示すブロック図である。
【図２】複合機の外観を示す図である。
【図３】複合機の操作部の構成を示す図である。
【図４】複合機のスキャナ画像処理部の構成を示すブロック図である。
【図５】複合機のプリンタ画像処理部の構成を示すブロック図である。
【図６】複合機の画像圧縮処理部の構成を示すブロック図である。
【図７】複合機の画像回転部の構成を示すブロック図である。
【図８】複合機のデバイスＩ／Ｆ部の構成を示すブロック図である。
【図９】本発明の一実施形態である読み込み原稿の処理の流れを示すフローチャート図である。
【図１０】本発明の一実施形態である読み込み原稿の印刷時の流れを示すフローチャート図である。
【符号の説明】
【００２９】
２０００  マルファンクション複写機
２０７０  スキャナ部
２０１２  操作部
２０８０  スキャナ画像処理部
２０３０  画像回転部
【図１】
2006148306.tif 000003
【図２】
2006148306.tif 000004
【図３】
2006148306.tif 000005
【図４】
2006148306.tif 000006
【図５】
2006148306.tif 000007
【図６】
2006148306.tif 000008
【図７】
2006148306.tif 000009
【図８】
2006148306.tif 000010
【図９】
2006148306.tif 000011
【図１０】
2006148306.tif 000012